(57)【要約】【課題】画像データの再生を開始してから実際に再生画像が表示されるまでの遅れによるユーザの不満を低減できるとともに、再生画像の表示が始まるときの視覚的な違和感を低減できる携帯端末装置とその画像表示方法を提供する。【解決手段】制御部１１０は、待ち受けモードにおいて表示される壁紙用画像データ１０９Ａから、その再生画像の背景の表示態様に関する背景データ１０９Ｂを予め取得する。そして、所定の条件により動作モードが待ち受けモードに移行すると、壁紙用画像データ１０９Ａの再生処理を開始してから再生結果の画像を表示部１０７に表示するまでの間、予め取得した背景データ１０９Ｂに基づく背景画像を表示部１０７に表示する。【選択図】図４
2007180881.tif 000002
【特許請求の範囲】
【請求項１】
画像を表示する表示部を備え、背景を持つ画像の画像データを再生して前記表示部に表示することが可能な携帯端末装置において、
前記背景の表示態様に関する背景データを前記画像データから予め取得し、前記画像データを再生して前記表示部に表示する場合、前記画像データの再生処理を開始してから再生結果の画像を前記表示部に表示するまでの間、前記取得した背景データに基づく背景画像を前記表示部に表示する制御部を備える
ことを特徴とする携帯端末装置。
【請求項２】
前記制御部は、前記画像データを再生して前記表示部に表示する場合、前記背景データに基づく背景画像を前記表示部に表示し、当該背景画像の表示中に前記画像データから前記表示部が再生可能な形式のデータを生成し、当該生成したデータに基づく画像を当該背景画像と置き換えて前記表示部に表示する
ことを特徴とする請求項１に記載の携帯端末装置。
【請求項３】
前記画像データを記憶する記憶部と、
指示を入力する入力部とを備え、
前記制御部は、前記入力部から入力される指示に応じて、前記画像データを前記記憶部から読み出して前記背景の表示態様に関する背景データを取得し、当該取得した背景データを前記記憶部に格納する、
ことを特徴とする請求項１又は２に記載の携帯端末装置。
【請求項４】
前記制御部は、所定の動作モードに移行すると前記画像データを再生して前記表示部に表示する
ことを特徴とする請求項１乃至３の何れか一項に記載の携帯端末装置。
【請求項５】
指示を入力する入力部と、
通信を行う通信部とを備えており、
前記所定の動作モードが、前記通信部による通話処理及び前記入力部からの指示の入力処理が行われていないことを示す画像を前記表示部に表示する動作モードである
ことを特徴とする請求項４に記載の携帯端末装置。
【請求項６】
前記画像データは、所定の背景上で所定の表示オブジェクトを動的に表示させるためのデータを含み、
前記背景データは、前記表示オブジェクトの背景の色、明るさ及び模様の少なくとも１つを指定するデータである
ことを特徴とする請求項１乃至５の何れか一項に記載の携帯端末装置。
【請求項７】
前記制御部は、前記画像データの再生処理を行う場合、前記画像データにおいて所定の符号化方式により符号化されたデータを所定の復号化方式により復号化する
ことを特徴とする請求項１乃至６の何れか一項に記載の携帯端末装置。
【請求項８】
表示部を備える装置が画像を表示する方法であって、
背景を持つ画像として再生可能な画像データから、当該背景の表示態様に関する背景データを取得する第１のステップと、
前記画像データを再生して前記表示部に表示する場合、前記画像データの再生処理を開始してから再生結果の画像を前記表示部に表示するまでの間、前記取得した背景データに基づく背景画像を前記表示部に表示する第２のステップと
を有することを特徴とする画像表示方法。
【発明の詳細な説明】
【技術分野】
【０００１】
本発明は、画像を表示可能な携帯端末装置とその画像表示方法に係り、例えば、待ち受けモードにおける壁紙用の画像を表示する携帯電話機などの携帯端末装置に関するものである。
【背景技術】
【０００２】
近年、携帯型の電子機器はますます高機能になっており、例えば静止画や動画を表示可能な携帯電話機や携帯型ゲーム機が広く普及している。また、このような電子機器には、ＪＰＥＧ（joint photographic experts group）やＧＩＦ（graphic interchange format）などの様々な形式の画像ファイルを再生できるものがあり、例えば一般的な携帯電話機では、ユーザが任意に選んだ画像ファイルを外部から転送し、待ち受けモードにおける壁紙として表示することが可能である。
【０００３】
通常、携帯電話機で扱われる画像ファイルは、メモリの容量を節約する観点から圧縮符号化されており、これを再生するためには復号化処理を行う必要がある。そのため、例えば壁紙用の画像を切替える場合など、新たな画像ファイルを再生表示する場合には、画像ファイルの復号化に要する時間のために画像の表示が遅れてしまい、ユーザに不満を与えてしまうという不都合が生じる。
【０００４】
このような不都合を解消する方法として、特許文献１に記載される方法がある。この方法では、動画像の先頭画像を予め復号化してメモリに保存しておき、この動画像を再生するように要求された場合は、メモリに保存した先頭画像を最初に表示する。これにより、動画像の再生を要求すると直ちにその先頭画像が表示されるため、再生を要求してから再生が開始されるまで何の画像も表示されない場合に比べてユーザの不満を低減できる。
【特許文献１】特開２００５−１５１４８４号公報
【発明の開示】
【発明が解決しようとする課題】
【０００５】
特許文献１に記載される方法は、再生開始時に常に同じ画像が表示されることが前提になっているため、所定の条件により先頭画像が変化するアニメーション画像などのファイルを再生する場合、予めメモリに保存しておいた画像と実際に再生を開始したときの画像が一致せず、ユーザに違和感を与えてしまうという問題がある。
【０００６】
例えば米国マクロメディア社の「Ｆｌａｓｈ（商標）」と称されるソフトウェアによって作成されたアニメーション用のファイル（以下、Ｆｌａｓｈファイルと呼ぶ）では、再生時の時刻に連動して表示内容を変化させることができる。Ｆｌａｓｈファイルを用いると、例えば待ち受け画面の一部に現在時刻を示す時計のアニメーションを表示させることなどが可能となる。
時計のアニメーションを含んだＦｌａｓｈファイルの先頭画像をメモリに保存した場合、この保存した画像における時計は保存時の時刻を指している。したがって、メモリに保存した画像をＦｌａｓｈファイルの再生開始前に表示すると、アニメーションの時計は現在時刻と全く異なる時刻を指しているため、かえってユーザに違和感を与えてしまう。
【０００７】
本発明はかかる事情に鑑みてなされたものであり、その目的は、画像データの再生を開始してから実際に再生画像が表示されるまでの遅れによるユーザの不満を低減できるとともに、再生画像の表示が始まるときの視覚的な違和感を低減できる携帯端末装置とその画像表示方法を提供することにある。
【課題を解決するための手段】
【０００８】
本発明の第１の観点は、画像を表示する表示部を備え、背景を持つ画像の画像データを再生して前記表示部に表示することが可能な携帯端末装置に関する。この携帯端末装置は、前記背景の表示態様に関する背景データを前記画像データから予め取得し、前記画像データを再生して前記表示部に表示する場合、前記画像データの再生処理を開始してから再生結果の画像を前記表示部に表示するまでの間、前記取得した背景データに基づく背景画像を前記表示部に表示する制御部を備える。
【０００９】
前記制御部は、前記画像データを再生して前記表示部に表示する場合、前記背景データに基づく背景画像を前記表示部に表示し、当該背景画像の表示中に前記画像データから前記表示部が再生可能な形式のデータを生成し、当該生成したデータに基づく画像を当該背景画像と置き換えて前記表示部に表示してよい。
【００１０】
また、前記第１の観点に係る携帯端末装置は、前記画像データを記憶する記憶部と、指示を入力する入力部とを備えてよい。この場合、前記制御部は、前記入力部から入力される指示に応じて、前記画像データを前記記憶部から読み出して前記背景の表示態様に関する背景データを取得し、当該取得した背景データを前記記憶部に格納してよい。
【００１１】
前記制御部は、所定の動作モードに移行すると前記画像データを再生して前記表示部に表示してよい。
また、前記第１の観点に係る携帯端末装置は、例えば指示を入力する入力部と、通信を行う通信部とを備えてよい。この場合、前記所定の動作モードは、前記通信部による通話処理及び前記入力部からの指示の入力処理が行われていないことを示す画像を前記表示部に表示する動作モードでよい。
【００１２】
前記画像データは、所定の背景上で所定の表示オブジェクトを動的に表示させるためのデータを含んでよく、前記背景データは、前記表示オブジェクトの背景の色、明るさ及び模様の少なくとも１つを指定してよい。
【００１３】
前記制御部は、前記画像データの再生処理を行う場合、前記画像データにおいて所定の符号化方式により符号化されたデータを所定の復号化方式により復号化してよい。
【００１４】
本発明の第２の観点は、表示部を備える装置が画像を表示する方法に関するものであり、この画像表示方法は、背景を持つ画像として再生可能な画像データから、当該背景の表示態様に関する背景データを取得する第１のステップと、前記画像データを再生して前記表示部に表示する場合、前記画像データの再生処理を開始してから再生結果の画像を前記表示部に表示するまでの間、前記取得した背景データに基づく背景画像を前記表示部に表示する第２のステップとを有する。
【発明の効果】
【００１５】
本発明によれば、再生画像の背景の表示態様に関する背景データを画像データから予め取得しておき、その画像データを再生して表示する場合に、再生処理を開始してから再生結果の画像を表示するまでの間、予め取得した背景データに基づく背景画像を表示することによって、画像データの再生を開始してから実際に再生画像が表示されるまでの遅れによるユーザの不満を低減できるとともに、再生画像の表示が始まるときの視覚的な違和感を低減できる。
【発明を実施するための最良の形態】
【００１６】
図１は、本発明の実施形態に係る携帯端末装置の構成の一例を示す図である。
図１に示す画像表示装置は、アンテナ１０１と、通信部１０２と、キー入力部１０３と、音声処理部１０４と、スピーカ１０５と、マイクロフォン１０６と、表示部１０７と、記憶部１０８と、制御部１１０とを有する。
【００１７】
通信部１０２は、通信ネットワークに接続される不図示の基地局と無線通信を行う。例えば通信部１０２は、制御部１１０から供給される送信データに所定の変調処理を施して無線信号に変換し、アンテナ１０１から送出する。また、アンテナ１０１において受信される基地局からの無線信号に所定の復調処理を施して受信データに変換し、制御部１１０に出力する。
【００１８】
キー入力部１０３は、例えば電源キー、通話キー、数字キー、文字キー、方向キー、決定キーなど、各種の機能が割り当てられたキーを有しており、これらのキーがユーザによって操作された場合に、その操作内容に対応する信号を発生し、これをユーザの指示として制御部１１０に入力する。
【００１９】
音声処理部１０４は、スピーカ１０５において出力される音声信号やマイクロフォン１０６において入力される音声信号の処理を行う。すなわち、マイクロフォン１０６から入力される音声信号に増幅、アナログ−デジタル変換、符号化等の信号処理を施し、デジタルの音声データに変換して制御部１１０に出力する。また、制御部１１０から供給される音声データに復号化、デジタル−アナログ変換、増幅等の信号処理を施し、アナログの音声信号に変換してスピーカ１０５に出力する。
【００２０】
表示部１０７は、例えば液晶表示パネルや有機ＥＬパネルなどの表示デバイスを用いて構成されており、制御部１１０から供給される映像信号に応じた画像を表示する。例えば、発信時における発信先の電話番号、着信時における着信相手の電話番号、受信メールや送信メールの内容、日付、時刻、バッテリ残量、待ち受け画面などの各種の情報や画像を表示する。
【００２１】
記憶部１０８は、制御部１１０において処理に利用される各種のデータを記憶する。例えば、制御部１１０に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
【００２２】
記憶部１０８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２３】
制御部１１０は、携帯端末装置１００の全体的な動作を統括的に制御する。すなわち、携帯端末装置１００の各種の処理（回線交換網を介して行われる音声通話、電子メールの作成と送受信、インターネットのＷｅｂサイトの閲覧など）がキー入力部１０３の操作に応じて適切な手順で実行されるように、上述した各ユニットの動作（通信部１０２における信号の送受信、音声処理部１０４における音声の入出力、表示部１０７における画像の表示など）を制御する。
【００２４】
例えば制御部１１０は、記憶部１０８に格納されるプログラム（オペレーティングシステム、アプリケーション等）に基づいて処理を実行するコンピュータを備えており、このプログラムにおいて指示された手順に従って上述した処理を実行する。すなわち、記憶部１０８に格納されるオペレーティングシステムやアプリケーションプログラム等のプログラムから命令コードを順に読み込んで処理を実行する。
【００２５】
また制御部１１０は、上述した各種処理の一部を、所定の実行環境プログラム（プラットフォーム）の元で動作するアプリケーションプログラムにより実行する。例えば、インターネットのＷｅｂサイトの閲覧や、待ち受けモードにおける画像の表示などの処理をアプリケーションプログラムによって実行する。実行環境プログラムは、キー入力部１０３の入力操作などに応じて所定のイベントが発生すると、そのイベントに対応する所定のアプリケーションプログラムを起動して、特定の処理を実行する。
【００２６】
制御部１１０は、待ち受けモードに関する設定を行うようにキー入力部１０３において指示が入力されると、その設定処理を行うアプリケーションプログラムを起動する。制御部１１０は、この起動したアプリケーションプログラムによって設定用のメニュー画面を表示部１０７に表示し、キー入力部１０３から入力される指示に応じて待ち受けモード時の処理内容を決定する。
【００２７】
制御部１１０は、この待ち受けモードの設定処理において、壁紙として表示部１０７の画面に表示するための壁紙用画像ファイル１０９Ａを決定する。例えば、記憶部１０８に記憶される画像ファイルの中から、キー入力部１０３において入力される指示に応じて壁紙用画像ファイル１０９Ａを選択する。
【００２８】
このとき、所定形式の画像ファイルが壁紙用画像ファイル１０９Ａとして設定されると、制御部１１０はこの所定形式の画像ファイルを記憶部１０３から読み出して、その再生画像の背景の表示態様に関するデータを取得し、これを背景データ１０９Ｂとして記憶部１０８に格納する。
この所定形式の画像ファイルは、例えばＦｌａｓｈファイルなどのアニメーション再生用の画像ファイルであり、所定の背景上で所定の表示オブジェクトを動的に表示させることが可能なデータを含む。
また背景データ１０９Ｂは、表示オブジェクトの背景の色や明るさ、模様などを指定するデータを含む。
【００２９】
図２は、上述した所定形式の画像ファイルの構成例を示す図である。
図２に示す画像ファイルは、大きく分けてヘッダとデータ本体を有している。
ヘッダには、ファイル情報、作成情報、再生補足情報が含まれる。ファイル情報は、ファイルのサイズや復号化に必要な記憶領域のサイズ、復号化方式などの情報を示す。作成情報は、ファイルの作成日時や、作成者、著作権に関する情報などを示す。再生補足情報は、背景の色や柄などの情報を示す。
データ本体には、レンダリング情報や、動作処理、テキスト、サウンド、その他の情報が含まれる。
レンダリング情報には、画像の再生時間に関する情報や、表示させるオブジェクト本体、再生レート、再生画像のサイズに関する情報が含まれる。
例えば上述のような形式の画像ファイルが壁紙用画像ファイル１０９Ａとして設定された場合、制御部１１０は、ヘッダ部分の再生補足情報に含まれる背景の色や柄に関する情報を背景データ１０９Ｂとして記憶部１０８に保存する。
すなわち制御部１１０は、再生に必要な情報として、先ずヘッダ中の再生補足情報から背景色のデータを確保し、このデータにより指定された背景色のもとで、レンダリング情報中の表示オブジェクトの動画像を規定された表示レートで表示部１０７に描画する。ここで、表示オブジェクトが表示部の画面全てを埋め尽くすようなサイズでない場合、表示部１０７の画面には、表示オブジェクトの背後に上記の背景色が見え隠れすることになる。データ本体に含まれるテキスト情報を表示する際には、上述した背景色のもとで表示部１０７にテキストを描画する。
【００３０】
制御部１１０は、キー入力部１０３においてキー操作（指示の入力処理）が行われていない場合や、通信部１０２において通信処理（通話やデータ通信など）が行われていない場合など、所定の条件において待ち受けモードに移行する。待ち受けモードに移行すると、制御部１１０は専用のアプリケーションプログラムを起動する。待ち受けモードにおいて起動するアプリケーションプログラムを、以下では「待ち受けアプリ」と呼ぶ。
【００３１】
制御部１１０は、待ち受けアプリを起動すると、設定用アプリケーションによって予め壁紙として設定された記憶部１０８の画像ファイル１０９Ａを再生し、表示部１０７に表示する。このとき制御部１１０は、画像ファイル１０９Ａが先述した所定形式の画像ファイルである場合、その再生処理を開始してから再生結果の画像を表示部１０７に表示するまでの間、背景データ１０９Ｂに基づく背景画像を表示部１０７に表示する。
この場合、まず制御部１１０は、背景データ１０９Ｂに基づく背景画像を表示部１０７に表示し、この背景画像の表示中に画像ファイル１０９Ａのデータから表示部１０７において再生可能な形式のデータを生成する。例えば画像ファイル１０９Ａが所定の符号化方式で符号化されたデータを含む場合、これを所定の復号化方式により復号化することにより、表示部１０７で再生可能な画像データを生成する。
表示部１０７で再生可能な画像データを生成すると、制御部１１０はこの生成した画像データを背景画像と置き換えて表示部１０７に表示する。画像データがアニメーションなどの動画像の場合は、少なくとも先頭の画面に対応する画像データの生成が完了したとき、この生成した画像データに基づく画像を背景画像と置き換える。
【００３２】
ここで、上述した構成を有する携帯端末装置における壁紙画像の表示に関する動作について、図３及び図４のフローチャートを参照して説明する。
【００３３】
図３は、待ち受けモード時に表示する壁紙用画像ファイル１０９Ａの選択処理の一例を示すフローチャートである。
【００３４】
待ち受けモードに関する設定を行うようにキー入力部１０３において指示が入力されると、制御部１１０はその設定処理を行うアプリケーションプログラムを起動して、設定用のメニュー画面を表示部１０７に表示する。制御部１１０は、例えば、記憶部１０８に現在記憶されている画像ファイルの一覧をメニュー画面に表示し、キー入力部１０３から入力される指示に応じて、この一覧の中から待ち受けモード時に壁紙として表示するファイルを選択する（ステップＳＴ１００）。
【００３５】
ファイルを選択すると、制御部１１０はそのファイルがＦｌａｓｈファイルなどの所定形式のファイルであるか判定する（ステップＳＴ１０５）。所定形式のファイルでない場合、制御部１１０は、このファイルを壁紙用画像ファイル１０９Ａとして記憶部１０８に保存する（ステップＳＴ１２５）。
【００３６】
選択したファイルが所定形式のファイルである場合（ステップＳＴ１０５）、制御部１１０は、選択したファイルのデコード処理を行い（ステップＳＴ１１０）、そのデコード結果から再生画像の背景の表示態様に係わるデータを取得し（ステップＳＴ１１５）、これを背景データ１０９Ｂとして記憶部１０８に保存する（ステップＳＴ１２０）。また、ステップＳＴ１００で選択したファイルを壁紙用画像ファイル１０９Ａとして記憶部１０８に保存する（ステップＳＴ１２５）。
【００３７】
図４は、待ち受けモード移行時における壁紙の表示動作の一例を示すフローチャートである。
【００３８】
キー入力部１０３においてキー操作（指示の入力処理）が行われていない場合や、通信部１０２において通信処理（通話やデータ通信など）が行われていない場合などの所定の条件において、制御部１１０は待ち受けモードに移行し、待ち受けアプリを起動する。
待ち受けアプリを起動すると、制御部１１０は、図３のフローチャートに示す設定処理において設定された壁紙用画像ファイル１０９ＡがＦｌａｓｈファイル等の所定形式のファイルであるか判定する（ステップＳＴ２００）。所定形式のファイルでない場合、制御部１１０は壁紙用画像ファイル１０９Ａの復号化を開始し（ステップＳＴ２２０）、その復号化結果を表示部１０７に表示する（ステップＳＴ２２５）。
【００３９】
一方、壁紙用画像ファイル１０９Ａが所定形式の画像ファイルである場合、制御部１１０は、記憶部１０８から背景データ１０９Ｂを読み出し（ステップＳＴ２０５）、これに応じた背景画像を表示部１０７の画面に描画する（ステップＳＴ２１０）。具体的には、背景として指定されている色や柄で画面全体を塗りつぶして描画する。
次いで制御部１１０は、壁紙以外に表示される各種の画像を表示部１０７の画面に描画する（ステップＳＴ２１５）。例えば、電池の残量、受信感度、電子メールの着信、動作モードなどを表す各種のアイコンや、日時を表す数字、文字などの描画を行う。
またこれと並行して、制御部１１０は壁紙用画像ファイル１０９Ａの復号化を開始し（ステップＳＴ２２０）、その復号化結果が得られると、ステップＳＴ２０５から表示している背景画像を復号化結果の画像に置き換える（ステップＳＴ２２５）。
【００４０】
以上説明したように、本実施形態によれば、再生画像の背景の表示態様に関する背景データ１０９Ｂが、待ち受けモードにおいて表示される壁紙用画像データ１０９Ａから予め取得される。そして、所定の条件により動作モードが待ち受けモードに移行すると、壁紙用画像データ１０９Ａの再生処理を開始してから再生結果の画像を表示部１０７に表示するまでの間、予め取得した背景データ１０９Ｂに基づく背景画像が表示部１０７に表示される。
これにより、待ち受けモードへ移行すると、壁紙用画像データ１０９Ａの復号化を待つことなく即座に背景データ１０９Ｂの画像が待ち受け画面として表示されるため、壁紙用画像データ１０９Ａの復号化処理が完了するまで待ち受け画面が表示されない場合に比べてユーザの不満を低減できる。
【００４１】
また、Ｆｌａｓｈファイルの再生開始前に標準の背景画像や単色で塗りつぶした画像を表示させる方法も考えられるが、これらの画像はＦｌａｓｈファイルの再生画像と関連性がないため、Ｆｌａｓｈファイルのデコードが完了して実際の再生画像へ切り替わるときユーザに視覚的な違和感を与えてしまうという問題がある。本実施形態によれば、背景データ１０９Ｂの背景画像は、壁紙用画像データ１０９Ａを復号化して得られる再生画像の背景の表示態様に基づいて構成されるため、この背景画像から壁紙用画像データ１０９Ａの再生画像へ切り替わるときの視覚的な違和感を低減できる。
【００４２】
なお、現状の携帯電話機などにおいては、省電力制御や、表示部の焼き付き防止のために、待ち受け画面を表示させてから操作の無い状態が所定時間続くと、サスペンドモードに入るものがある。サスペンドモードとは、表示部の表示自体を停止したり、場合によっては制御部の動作も一部休止させたりするモードである。携帯端末装置がこのサスペンド機能に対応している場合、次のような事象が発生する。所定時間操作が無く待ち受けモードになり、更に一定時間操作が無いためにサスペンドモードになった後、キー入力部１０３が操作されると、サスペンドモードから待ち受けモードに復帰する。このとき、待ち受けアプリが再度メモリから読み出されて起動する。このような動作の際にも、本発明を適用することにより、予め格納しておいた背景に関するデータによって先ず表示部１０７の画面全体を描画し、その後にデコードした所定形式のファイルに基づく表示オブジェクトを表示させることにより、デコードに要する時間を極力ユーザに意識させないようにするこができる。
【００４３】
以上、本発明の実施形態について説明したが、本発明は上記の形態のみに限定されるものではなく、種々の改変が可能である。
【００４４】
上述の実施形態では、ステップＳＴ２２５にて、予め格納しておいた背景データに基づいて描画した背景画像を復号化結果の画像に置き換えているが、置き換えずとも、この背景画像上に表示すべきオブジェクトを直接表示させて良いことは言うまでもない。
【００４５】
また、上述の実施形態では、デコードを要するファイル形式の例として「Ｆｌａｓｈ（商標）」により作成されたファイルを例として挙げているが、本発明はこれに限定されない。例えば、ファイル内に背景を規定するデータを含み、この規定された背景上で所定の表示オブジェクトを展開するようなファイルであればよい。また、動画像に限らず、所定の背景上に動きが無く固定の画像を表示させるものであってもよい。
【００４６】
上述の実施形態では、待ち受けモードにおいて壁紙用の画像を表示する場合を例に挙げているが、本発明はこれに限定されない。すなわち、他の種々の動作モードにおいて動画像を表示する場合にも本発明は適用可能である。
【００４７】
携帯端末装置の各構成要素の機能は、全てをソフトウェアで実現しても良いし、その少なくとも一部をハードウェアで実現しても良い。例えば、制御部１１０における処理や通信部１０２、音声処理部１０４におけるデータ処理は、１つ又は複数のプログラムによってコンピュータ上で実現しても良いし、その少なくとも一部をハードウェアで実現しても良い。
【００４８】
上述の実施形態では、主に携帯電話機において待ち受け画面を表示する場合を例に挙げているが、これに限らず、画像表示部を備える種々の装置に本発明は適用可能である。
【図面の簡単な説明】
【００４９】
【図１】本発明の実施形態に係る携帯端末装置の構成の一例を示す図である。
【図２】壁紙用画像ファイルの構成例を示す図である。
【図３】壁紙用画像ファイルの選択処理の一例を示すフローチャートである。
【図４】壁紙の表示動作の一例を示すフローチャートである。
【符号の説明】
【００５０】
１０１…アンテナ、１０２…通信部、１０３…キー入力部、１０４…音声処理部、１０５…スピーカ、１０６…マイクロフォン、１０７…表示部、１０８…記憶部、１０９Ａ…壁紙用画像ファイル、１０９Ｂ…背景データ、１１０…制御部
【図１】
2007180881.tif 000003
【図２】
2007180881.tif 000004
【図３】
2007180881.tif 000005
【図４】
2007180881.tif 000006